(57)【特許請求の範囲】
【請求項１】
調理器本体と、
前記調理器本体による調理残り時間を表示する表示部と、
前記調理残り時間を前記表示部に表示させる制御部と、を備え、
前記制御部は、
前記調理残り時間をカウントダウンするカウント手段と、
被調理物の量を判定する判定手段と、
前記判定手段で判定された前記被調理物の量に基づいて、前記カウント手段における前記調理残り時間をカウントダウンする速度を標準速度から変更する変更手段と、
を有し、
前記調理器本体は、炊飯機能を有し、
前記調理器本体による調理は、炊飯工程と、前記炊飯工程の後の蒸らし工程と、が実施されるものであり、
前記判定手段は、
前記被調理物の量として、炊飯量を判定するものであり、
前記制御部は、
前記調理器本体による調理が開始されたときに表示する前記調理残り時間として、前記調理器本体による最小炊飯量にかかる時間と前記調理器本体による最大炊飯量にかかる時間との平均時間を、前記表示部に表示させるものであり、
前記被調理物の温度上昇率に基づいて、前記被調理物の量を算出する算出手段を有する
加熱調理器。
【請求項２】
前記変更手段は、
前記被調理物の量が多いほど、前記調理残り時間をカウントダウンする速度を遅くするものであり、
前記調理器本体による調理が終了するよりも前に、前記表示部に表示される前記調理残り時間が、実際の調理にかかる残り実時間と一致するように構成されている請求項１記載の加熱調理器。
【請求項３】
前記表示部は、
前記調理残り時間を表示する時間表示部と、
前記時間表示部の側部に設けられ、約という文字を表示する約表示部と、を有し、
前記制御部は、
前記表示部に表示される前記調理残り時間が前記残り実時間と一致したとき、前記約表示部の約という表示を消去するものである請求項２記載の加熱調理器。
【請求項４】
前記変更手段は、
前記炊飯工程の間に、前記調理残り時間をカウントダウンする速度を前記標準速度から変更するものである請求項１〜３のいずれか１項に記載の加熱調理器。
【請求項５】
前記炊飯工程が終了した時点で、前記表示部に表示される前記調理残り時間が、実際の調理にかかる残り実時間と一致するように構成されている請求項１〜４のいずれか１項に記載の加熱調理器。
【請求項６】
前記表示部は、
前記調理残り時間を表示する時間表示部と、
前記時間表示部の側部に設けられ、約という文字を表示する約表示部と、を有し、
前記制御部は、
前記炊飯工程が終了した時点で、前記約表示部の約という表示を消去するものである請求項１〜５のいずれか１項に記載の加熱調理器。
【請求項７】
前記被調理物の量と、前記調理残り時間をカウントダウンする速度との関係を示すテーブルを記憶する記憶部を備え、
前記変更手段は、
前記調理残り時間をカウントダウンする速度を、前記記憶部に記憶された前記テーブルに基づいた速度に変更するものである請求項１〜６のいずれか１項に記載の加熱調理器。
【請求項８】
前記変更手段は、
前記判定手段で前記被調理物の量を判定した時点で、前記調理残り時間をカウントダウンする速度を変更するものである請求項１〜７のいずれか１項に記載の加熱調理器。
【請求項９】
前記制御部は、
前記調理器本体の調理が開始されてから所定の時間が経過した後、前記表示部に表示された前記調理残り時間の表示を消去するものである請求項１〜８のいずれか１項に記載の加熱調理器。
【請求項１０】
前記調理残り時間を前記表示部に表示させることを前記制御部に指示する表示操作部を備え、
前記制御部は、
前記表示操作部が操作されたときに、前記調理残り時間を前記表示部に表示させるものである請求項１〜９のいずれか１項に記載の加熱調理器。
【請求項１１】
前記調理器本体に近付く人を検出する人検出部を備え、
前記制御部は、
前記人検出部において前記調理器本体に人が近付いたことが検出された場合、前記調理残り時間を前記表示部に表示させるものである請求項１〜１０のいずれか１項に記載の加熱調理器。
【発明の詳細な説明】
【技術分野】
【０００１】
本発明は、調理残り時間を表示する表示部を備える加熱調理器に関する。
【背景技術】
【０００２】
従来、調理残り時間を表示部に表示する加熱調理器が知られている。特許文献１には、調理残り時間をカウントダウンする速度を変更する炊飯器が開示されている。特許文献１において、制御部は、調理残り時間を、炊飯が開始されてから蒸らし工程が開始される前まで、６０秒毎に１カウントダウンさせる。そして、制御部は、蒸らし工程が開始されてから炊飯が終了するまで、蒸らし工程開始時に表示されている調理残り時間の値に応じた速度で、カウントダウンさせる。これにより、特許文献１は、炊飯の終了と同時に、調理残り時間を０にして、使用者の使い勝手を向上させようとするものである。
【先行技術文献】
【特許文献】
【０００３】
【特許文献１】特許第４１１１０４２号公報
【発明の概要】
【発明が解決しようとする課題】
【０００４】
しかしながら、特許文献１に開示された炊飯器は、蒸らし工程が開始されてから、調理残り時間を調整している。このため、調理が終了する直前まで、表示部に表示される調理残り時間と実際の調理にかかる残り実時間との間にずれが生じ、正確な調理残り時間を認識することができなかった。
【０００５】
本発明は、上記のような課題を背景としてなされたもので、正確な調理残り時間を早急に認識することができる加熱調理器を提供するものである。
【課題を解決するための手段】
【０００６】
本発明に係る加熱調理器は、調理器本体と、調理器本体による調理残り時間を表示する表示部と、調理残り時間を表示部に表示させる制御部と、を備え、制御部は、調理残り時間をカウントダウンするカウント手段と、被調理物の量を判定する判定手段と、判定手段で判定された被調理物の量に基づいて、カウント手段における調理残り時間をカウントダウンする速度を標準速度から変更する変更手段と、を有し、調理器本体は、炊飯機能を有し、調理器本体による調理は、炊飯工程と、炊飯工程の後の蒸らし工程と、が実施されるものであり、判定手段は、被調理物の量として、炊飯量を判定するものであり、制御部は、調理器本体による調理が開始されたときに表示する調理残り時間として、調理器本体による最小炊飯量にかかる時間と調理器本体による最大炊飯量にかかる時間との平均時間を、表示部に表示させるものであり、被調理物の温度上昇率に基づいて、被調理物の量を算出する算出手段を有する。
【発明の効果】
【０００７】
本発明によれば、変更手段は、判定手段で判定された被調理物の量に基づいて、カウント手段における調理残り時間をカウントダウンする速度を標準速度から変更する。このため、カウント手段が調理残り時間をカウントダウンする速度を、常時変更することができる。従って、正確な調理残り時間を早急に認識することができる。
【図面の簡単な説明】
【０００８】
【図１】本発明の実施の形態１に係る加熱調理器１を示す斜視図である。
【図２】本発明の実施の形態１に係る加熱調理器１のハードウエア構成図である。
【図３】本発明の実施の形態１における表示部３を示す図である。
【図４】本発明の実施の形態１における表示部３の表示例を示す図である。
【図５】本発明の実施の形態１における制御部３０のブロック図である。
【図６】本発明の実施の形態１における表示部３の表示例を示す図である。
【図７】本発明の実施の形態１における表示部３の表示例を示す図である。
【図８】本発明の実施の形態１における表示部３の表示例を示す図である。
【図９】本発明の実施の形態１における表示部３の表示例を示す図である。
【図１０】本発明の実施の形態１に係る加熱調理器１の動作を示すフローチャートである。
【図１１】変形例に係る加熱調理器１を示す斜視図である。
【発明を実施するための形態】
【０００９】
以下、本発明に係る加熱調理器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、本発明の実施の形態１に係る加熱調理器１を示す斜視図である。この図１に基づいて、加熱調理器１について説明する。図１に示すように、加熱調理器１は、調理器本体２と、表示部３と、制御部３０（図２参照）とを備えており、例えば炊飯器である。更に、加熱調理器１は、例えば操作部４と、表示操作部５と、開閉部６と、報知部１２（図２参照）と、人検出部１４（図２参照）とを備えている。
【００１１】
調理器本体２は、炊飯機能を有しており、調理器本体２による調理は、炊飯工程と、炊飯工程の後の蒸らし工程と、が実施されるものである。また、調理器本体２は、机等に載置される載置部２ａと、載置部２ａに係止されることによって載置部２ａを覆う蓋部２ｂとを有している。載置部２ａの内部には内釜（図示せず）が収容されており、内釜内に被調理物である米等や水が投入される。また、調理器本体２の内部には、加熱部１１（図２参照）が設けられており、加熱部１１は、内釜内に投入された米等を加熱するものである。そして、調理器本体２の内部には、温度検出部１３（図２参照）が設けられており、温度検出部１３は、調理器本体２の内部の温度を検出するものである。温度検出部１３の検出結果は、例えば調理器本体２による調理残り時間の算出等に用いられる。
【００１２】
操作部４は、例えばボタンであり、調理器本体２の調理を開始する調理開始ボタン、及び、調理器本体２が有する調理モードを選択する選択ボタン等を有している。また、表示操作部５は、例えばボタンであり、調理器本体２による調理残り時間を表示部３に表示させることを制御部３０に指示するものである。
【００１３】
開閉部６は、載置部２ａと蓋部２ｂとの係止状態を解除して、蓋部２ｂを開けるものである。この状態で、載置部２ａの内部に収容された内釜に、米等を投入することができる。報知部１２は、例えばスピーカ等であり、調理器本体２による調理に関する情報を報知する。また、人検出部１４は、調理器本体２に近付く人を検出するものである。
【００１４】
図２は、本発明の実施の形態１に係る加熱調理器１のハードウエア構成図である。図２に示すように、加熱調理器１は、情報受信部１５と、記憶部１６とを備えている。情報受信部１５は、温度検出部１３の検出結果及び人検出部１４の検出結果を受信して、その情報を制御部３０に送信するものである。記憶部１６は、調理器本体２の調理に使用される情報を記憶するものであり、例えばメモリ等である。また、操作部４及び表示操作部５が操作されると、操作された各情報を制御部３０に送信する。制御部３０は、情報受信部１５から受信した情報と、操作部４及び表示操作部５から受信した情報とに基づいて、加熱部１１、報知部１２及び表示部３を制御する。
【００１５】
図３は、本発明の実施の形態１における表示部３を示す図である。表示部３は、調理器本体２による調理残り時間を表示するものである。図３に示すように、表示部３は時間表示部２１を有している。更に、表示部３は、例えば時桁セグメント表示部２２と約表示部２３とを有している。また、表示部３は、白米、無洗米、発芽米、玄米、分づき米等のような米の種類を表示する種類表示部２４を有している。更に、表示部３は、ふつう、かため、やわらか、炊込み、おかゆ、中華粥等のような米の炊き具合を表示するモード表示部２５を有している。
【００１６】
時間表示部２１は、調理器本体２による調理残り時間をセグメントで表示するものである。時間表示部２１は、セグメントで二桁の数字を表示するものであり、１の位を示す部分と１０の位を示す部分とを有している。また、時桁セグメント表示部２２は、時間表示部２１の１０の位側に設けられ、時刻のうち時桁をセグメントで表示するものである。時桁セグメント表示部２２は、セグメントで二桁の数字を表示するものであり、１の位を示す部分と１０の位を示す部分とを有している。
【００１７】
そして、制御部３０は、時刻のうち分桁を時間表示部２１に表示させて、時桁セグメント表示部２２及び時間表示部２１で時刻を表示させるものである。なお、時桁セグメント表示部２２と時間表示部２１との間には、コロンを表示するコロン表示部２６が設けられている。制御部３０は、時桁セグメント表示部２２と時間表示部２１とコロン表示部２６とで、時刻を表示させる。
【００１８】
また、約表示部２３は、時間表示部２１の側部に設けられ、「約」という文字を表示するものである。具体的には、時間表示部２１と時桁セグメント表示部２２との間に設けられている。そして、表示部３は、時桁セグメント表示部２２及び時間表示部２１の下方に設けられ、「分後にできあがり」という文字を表示するできあがり表示部２７を有している。これは、調理残り時間が時間表示部２１に表示されるときに使用されるものである。なお、「約」が表示されているときは、おおよその炊飯時間を示している。つまり、「約」の表示は、その後、表示される調理残り時間が変更される可能性があることを示している。
【００１９】
図４は、本発明の実施の形態１における表示部３の表示例を示す図である。図４に示すように、例えば調理残り時間が約８８分である場合、制御部３０は、時間表示部２１に「８８」を表示させる。また、制御部３０は、約表示部２３に「約」を表示させる。更に、制御部３０は、できあがり表示部２７に「分後にできあがり」を表示させる。このように、制御部３０は、表示部３に「約８８分後にできあがり」を表示させる。
【００２０】
図５は、本発明の実施の形態１における制御部３０のブロック図である。図５に示すように、制御部３０は、カウント手段３４と、判定手段３２と、変更手段３３とを有している。更に、制御部３０は、例えば算出手段３１を有している。
【００２１】
カウント手段３４は、調理残り時間をカウントダウンするものである。
【００２２】
算出手段３１は、被調理物の温度上昇率に基づいて、被調理物の量を算出するものである。温度上昇率は、例えば温度検出部１３の検出結果に基づいて決定される。なお、本実施の形態１では、算出手段３１は、被調理物の量として、炊飯量を算出する。また、加熱調理器１は、炊飯量等の重量を検出する重量検出部（図示せず）を備えていてもよい。この場合、算出手段３１は、重量検出部の検出結果に基づいて被調理物の量を算出する。
【００２３】
判定手段３２は、被調理物の量を判定するものである。なお、本実施の形態１では、判定手段３２は、被調理物の量として、炊飯量を判定する。加熱調理器１が、５．５合炊きの炊飯器である場合、判定手段３２は、炊飯量が０．５合〜１．５合であるか、炊飯量が１．５合〜２．５合であるか、炊飯量が２．５合〜３．５合であるか、炊飯量が３．５合〜４．５合であるか、炊飯量が４．５合〜５．５合であるかを判定する。
【００２４】
また、加熱調理器１が、１０合炊きの炊飯器である場合、判定手段３２は、炊飯量が０．５合〜１．５合であるか、炊飯量が１．５合〜２．５合であるか、炊飯量が２．５合〜３．５合であるか、炊飯量が３．５合〜４．５合であるか、炊飯量が４．５合〜５．５合であるか、炊飯量が５．５合〜６．５合であるか、炊飯量が６．５合〜７．５合であるか、炊飯量が７．５合〜８．５合であるか、炊飯量が８．５合〜９．５合であるか、炊飯量が９．５合〜１０合であるかを判定する。
【００２５】
変更手段３３は、判定手段３２で判定された被調理物の量に基づいて、カウント手段３４における調理残り時間をカウントダウンする速度を標準速度から変更するものである。ここで、標準速度とは、例えば、カウント時間が１分で、調理残り時間を１カウントするように設定された速度である。変更手段３３は、例えば判定手段３２で被調理物の量を判定した時点で、調理残り時間をカウントダウンする速度を変更する。
【００２６】
また、加熱調理器１において、調理が開始されたときに表示される調理残り時間は、加熱調理器１が５．５合炊きの炊飯器である場合、炊飯量が２．５合〜３．５合のときの調理時間から、標準速度でカウントダウンされて調理が終了したときに調理残り時間が０になるように設定されている。なお、加熱調理器１において、炊飯量が多ければ多いほど、調理時間は長くなるため、実際の調理残り時間は長くなる。このため、加熱調理器１が５．５合炊きの炊飯器である場合、変更手段３３は、炊飯量が０．５合〜１．５合のときにカウント時間を５０秒に変更し、炊飯量が１．５合〜２．５合のときにカウント時間を５５秒に変更し、炊飯量が３．５合〜４．５合のときにカウント時間を１分５秒に変更し、炊飯量が４．５合〜５．５合のときにカウント時間を１分１０秒に変更する。なお、炊飯量が２．５合〜３．５合のときには、カウント時間は１分のまま変更されない。
【００２７】
ここで、記憶部１６は、被調理物の量と、調理残り時間をカウントダウンする速度との関係を示すテーブルを記憶するものである。即ち、記憶部１６は、上記のような炊飯量に対するカウント時間を記憶している。なお、調理残り時間をカウントダウンする速度は、制御部３０によって、被調理物の量に基づいて算出されてもよい。
【００２８】
また、加熱調理器１において、調理が開始されたときに表示される調理残り時間は、加熱調理器１が１０合炊きの炊飯器である場合、炊飯量が４．５合〜５．５合のときの調理時間から、標準速度でカウントダウンされて調理が終了したときに調理残り時間が０になるように設定されている。この場合、変更手段３３は、炊飯量が０．５合〜１．５合のときにカウント時間を４０秒に変更し、炊飯量が１．５合〜２．５合のときにカウント時間を４５秒に変更し、炊飯量が２．５合〜３．５合のときにカウント時間を５０秒に変更し、炊飯量が３．５合〜４．５合のときにカウント時間を５５秒に変更する。
【００２９】
そして、変更手段３３は、炊飯量が５．５合〜６．５合のときにカウント時間を１分５秒に変更し、炊飯量が６．５合〜７．５合のときにカウント時間を１分１０秒に変更し、炊飯量が７．５合〜８．５合のときにカウント時間を１分１５秒に変更し、炊飯量が８．５合〜９．５合のときにカウント時間を１分２０秒に変更し、炊飯量が９．５合〜１０合のときにカウント時間を１分３０秒に変更する。なお、炊飯量が４．５合〜５．５合のときには、カウント時間は１分のまま変更されない。
【００３０】
このように、変更手段３３は、被調理物の量が多いほど、調理残り時間をカウントダウンする速度を遅くするものである。
【００３１】
ここで、制御部３０は、変更手段３３で変更された速度でカウントダウンされる調理残り時間を、表示部３に表示させるものである。また、制御部３０は、調理器本体２の調理が開始されてから所定の時間が経過した後、表示部３に表示された調理残り時間の表示を消去するものである。更に、制御部３０は、表示操作部５が操作されたときに、調理残り時間を表示部３に表示させるものである。更にまた、制御部３０は、人検出部１４において調理器本体２に人が近付いたことが検出された場合、調理残り時間を表示部３に表示させるものである。
【００３２】
図６は、本発明の実施の形態１における表示部３の表示例を示す図である。制御部３０は、調理器本体２による調理が開始されたときに表示する調理残り時間として、調理器本体２による最小炊飯量にかかる時間と調理器本体２による最大炊飯量にかかる時間との平均時間を、表示部３に表示させるものである。この平均時間が、例えば６８分である場合、図６に示すように、表示部３に「約６８分後にできあがり」という文字が表示される。
【００３３】
前述の如く、算出手段３１は、被調理物の温度上昇率に基づいて、被調理物の量を算出する。このため、調理が開始されたときには、被調理物の温度上昇率を検出することはできず、被調理物の量を算出することができない。従って、調理が開始されたときには、調理物の量に基づく調理残り時間を設定することができない。よって、制御部３０は、便宜的に、調理器本体２による最小炊飯量にかかる時間と調理器本体２による最大炊飯量にかかる時間との平均時間を、表示部３に表示させている。従って、前述の如く、加熱調理器１が５．５合炊きの炊飯器である場合、炊飯量が２．５合〜３．５合のときの調理時間から、標準速度でカウントダウンされて調理が終了したときに調理残り時間が０になるように設定されている。そして、加熱調理器１においては、炊飯量が２．５合〜３．５合のときを想定して、カウント時間が１分で調理残り時間が１カウントされる。
【００３４】
また、加熱調理器１が１０合炊きの炊飯器である場合、炊飯量が４．５合〜５．５合のときの調理時間から、標準速度でカウントダウンされて調理が終了したときに調理残り時間が０になるように設定されている。そして、加熱調理器１においては、炊飯量が４．５合〜５．５合のときを想定して、カウント時間が１分で調理残り時間が１カウントされる。
【００３５】
ここで、加熱調理器１は、調理器本体２による調理が終了するよりも前に、表示部３に表示される調理残り時間が、実際の調理にかかる残り実時間と一致するように構成されている。具体的には、加熱調理器１は、炊飯工程が終了した時点で、表示部３に表示される調理残り時間が、実際の調理にかかる残り実時間と一致するように構成されている。ここで、炊飯工程が終了して蒸らし工程に移行すると、調理残り時間は、被調理物の量にかかわらず同等となる。即ち、炊飯工程が終了して蒸らし工程に移行したときに、実際の調理残り時間が確定する。本実施の形態１では、炊飯工程が終了した時点で、表示部３に表示される調理残り時間が、実際の調理にかかる残り実時間と一致するように構成されている。このため、炊飯工程が終了した後の蒸らし工程では、調理残り時間をカウントダウンする速度を標準速度に戻すことができる。
【００３６】
また、加熱調理器１において、制御部３０は、表示部３に表示される調理残り時間が残り実時間と一致したとき、約表示部２３の約という表示を消去するものである。具体的には、制御部３０は、炊飯工程が終了した時点で、約表示部２３の約という表示を消去するものである。上記のとおり、炊飯工程が終了して蒸らし工程に移行したときに、実際の調理残り時間が確定する。本実施の形態１では、炊飯工程が終了した時点で、約表示部２３の約という表示を消去することによって、調理残り時間が確定したことを強調させることができる。
【００３７】
図７，図８は、本発明の実施の形態１における表示部３の表示例を示す図である。加熱調理器１において、制御部３０は、炊飯工程の間に、調理残り時間をカウントダウンする速度を標準速度から変更する。炊飯工程において、図７に示すように、表示部３に「約２０分後にできあがり」という文字が表示され、調理残り時間が１カウントダウンされると、図８に示すように、表示部３に「約１９分後にできあがり」という文字が表示される。このとき、調理残り時間がカウントダウンされる速度は、標準速度から変更されている。
【００３８】
図９は、本発明の実施の形態１における表示部３の表示例を示す図である。蒸らし工程において、調理残り時間がカウントダウンされる速度は、例えば標準速度に戻され、更に「約」という文字が消去されており、図９に示すように、表示部３に「１５分後にできあがり」という文字が表示される。そして、１分毎に１カウントダウンされる。
【００３９】
図１０は、本発明の実施の形態１に係る加熱調理器１の動作を示すフローチャートである。次に、本実施の形態１に係る加熱調理器１の動作について説明する。ここで、図１０では、加熱調理器１が５．５合炊きの炊飯器である場合について例示する。図１０に示すように、表示部３への表示がスタートすると、先ず、算出手段３１によって、被調理物の量が算出される（ステップＳＴ１）。次に、炊飯工程が終了したか否かが判定される（ステップＳＴ２）。炊飯工程が終了している場合（ステップＳＴ２のＹｅｓ）、蒸らし工程では、表示部３に表示される調理残り時間が、実際の調理にかかる残り実時間と一致するため、カウント時間が１分に設定される（ステップＳＴ４）。その後、ステップＳＴ１３に進む。
【００４０】
一方、炊飯工程である場合（ステップＳＴ２のＮｏ）、判定手段３２による被調理物の量、例えば炊飯量の判定が実施されたか否かが判断される（ステップＳＴ３）。炊飯量の判定が実施されていない場合（ステップＳＴ３のＮｏ）、カウント時間は、炊飯量が２．５合〜３．５合のときを想定して、１分のまま維持される（ステップＳＴ４）。その後、ステップＳＴ１３に進む。
【００４１】
一方、炊飯量の判定が実施されている場合（ステップＳＴ３のＹｅｓ）、炊飯量が０．５合〜１．５合であるか否かが判断される（ステップＳＴ５）。炊飯量が０．５合〜１．５合である場合（ステップＳＴ５のＹｅｓ）、変更手段３３によって、カウント時間が５０秒に設定される（ステップＳＴ６）。そして、炊飯量が０．５合〜１．５合でない場合（ステップＳＴ５のＮｏ）、炊飯量が１．５合〜２．５合であるか否かが判断される（ステップＳＴ７）。
【００４２】
炊飯量が１．５合〜２．５合である場合（ステップＳＴ７のＹｅｓ）、変更手段３３によって、カウント時間が５５秒に設定される（ステップＳＴ８）。そして、炊飯量が１．５合〜２．５合でない場合（ステップＳＴ７のＮｏ）、炊飯量が３．５合〜４．５合であるか否かが判断される（ステップＳＴ９）。
【００４３】
炊飯量が３．５合〜４．５合である場合（ステップＳＴ９のＹｅｓ）、変更手段３３によって、カウント時間が１分５秒に設定される（ステップＳＴ１０）。そして、炊飯量が３．５合〜４．５合でない場合（ステップＳＴ９のＮｏ）、炊飯量が４．５合〜５．５合であるか否かが判断される（ステップＳＴ１１）。炊飯量が４．５合〜５．５合である場合（ステップＳＴ１１のＹｅｓ）、変更手段３３によって、カウント時間が１分１０秒に設定される（ステップＳＴ１２）。
【００４４】
炊飯量が４．５合〜５．５合でない場合（ステップＳＴ１１のＮｏ）、ステップＳＴ１３に進む。ステップＳＴ１３では、カウント時間が経過したか否かが判断される。なお、ステップＳＴ１１でＮｏと判断された場合、炊飯量は２．５合〜３．５合である。この場合、炊飯量の判定が実施される前にステップＳＴ４を通過して設定された１分のカウント時間が適用される。ステップＳＴ１３において、カウント時間が経過していない場合（ステップＳＴ１３のＮｏ）、ステップＳＴ２に戻る。
【００４５】
これに対し、カウント時間が経過した場合（ステップＳＴ１３のＹｅｓ）、カウント手段３４によって、調理残り時間が１カウントダウンされる（ステップＳＴ１４）。そして、制御部３０によって、カウントダウンされた調理残り時間が、表示部３に表示される。その後、調理残り時間が０であるか否かが判定される（ステップＳＴ１５）。調理残り時間が０でない場合（ステップＳＴ１５のＮｏ）ステップＳＴ２に戻る。一方、調理残り時間が０である場合（ステップＳＴ１５のＹｅｓ）、表示部３への表示が終了する。
【００４６】
次に、本実施の形態１に係る加熱調理器１の作用について説明する。変更手段３３は、判定手段３２で判定された被調理物の量に基づいて、カウント手段３４における調理残り時間をカウントダウンする速度を標準速度から変更する。判定手段３２は、調理器本体２による調理のいずれの段階においても、被調理物の量を判定することができる。このため、カウント手段３４が調理残り時間をカウントダウンする速度を、常時変更することができる。従って、正確な調理残り時間を早急に認識することができる。このため、表示部３に表示される調理残り時間と実際の調理にかかる残り実時間との間のずれから生じる使用者の違和感を、緩和することができる。
【００４７】
また、加熱調理器１は、調理器本体２による調理が終了するよりも前に、表示部３に表示される調理残り時間が、実際の調理にかかる残り実時間と一致するように構成されている。これにより、調理が終了する直前にならなくとも、正確な調理残り時間を認識することができる。更に、本実施の形態１では、炊飯工程が終了した時点で、表示部３に表示される調理残り時間が、実際の調理にかかる残り実時間と一致するように構成されている。このため、炊飯工程が終了した後の蒸らし工程では、調理残り時間をカウントダウンする速度を標準速度に戻すことができる。
【００４８】
また、制御部３０は、表示部３に表示される調理残り時間が残り実時間と一致したとき、約表示部２３の約という表示を消去する。これにより、調理残り時間が確定したことを強調させることができる。更に、本実施の形態１では、炊飯工程が終了した時点で、約表示部２３の約という表示を消去することによって、蒸らし工程に移行して、調理残り時間が確定したことを強調させることができる。
【００４９】
そして、変更手段３３は、炊飯工程の間に、調理残り時間をカウントダウンする速度を標準速度から変更する。このように、調理が開始されたあと、直ちに調理残り時間をカウントダウンする速度を変更することができる。このため、表示部３に表示される調理残り時間と実際の調理にかかる残り実時間との間のずれを、早急に解消することができる。更に、変更手段３３は、判定手段３２で被調理物の量を判定した時点で、調理残り時間をカウントダウンする速度を変更する。このため、表示部３に表示される調理残り時間と実際の調理にかかる残り実時間との間のずれを、早急に解消することができる。
【００５０】
また、変更手段３３は、調理残り時間をカウントダウンする速度を、記憶部１６に記憶されたテーブルに基づいた速度に変更する。このように、速度は、記憶部１６に予め記憶されたテーブルに基づいたものであるため、制御部３０の負担が軽くなる。
【００５１】
また、制御部３０は、調理器本体２の調理が開始されてから所定の時間が経過した後、表示部３に表示された調理残り時間の表示を消去する。これにより、調理残り時間の表示が不要である場合に、余計な電力を消費せず、省エネルギに資する。更に、制御部３０は、表示操作部５が操作されたときに、調理残り時間を表示部３に表示させるものである。これにより、調理残り時間の表示が不要である場合に、余計な電力を消費せず、省エネルギに資する。更にまた、制御部３０は、人検出部１４において調理器本体２に人が近付いたことが検出された場合、調理残り時間を表示部３に表示させるものである。これにより、調理残り時間の表示が不要である場合に、余計な電力を消費せず、省エネルギに資する。
【００５２】
なお、図３，図４，図６では、種類表示部２４及びモード表示部２５において、全ての項目が表示されているが、選択された項目だけが表示されるように構成されてもよい。また、選択された項目だけが、強調表示されるように構成されてもよい。
【００５３】
（変形例）
図１１は変形例に係る加熱調理器１００を示す斜視図である。図１１に示すように、変形例に係る加熱調理器１００は、オーブン機能と電子レンジ機能とを有するいわゆるオーブンレンジである。そして、加熱調理器１００は、調理器本体２と、表示部３と、制御部３０（図示せず）と、操作部４と、表示操作部５とを備えている。
【００５４】
このように、加熱調理器１００は、炊飯器に限らずオーブンレンジとすることもできる。この場合、加熱調理器１００は、自動調理モード等の機能を有しており、自動調理モードの調理残り時間が表示部３に表示される。
【００５５】
なお、加熱調理器１は、ＩＨクッキングヒータとしてもよい。この場合、加熱調理器１は、自動調理モード等の機能を有しており、自動調理モードの調理残り時間が表示部３に表示される。
【符号の説明】
【００５６】
１  加熱調理器、２  調理器本体、２ａ  載置部、２ｂ  蓋部、３  表示部、４  操作部、５  表示操作部、６  開閉部、１１  加熱部、１２  報知部、１３  温度検出部、１４  人検出部、１５  情報受信部、１６  記憶部、２１  時間表示部、２２  時桁セグメント表示部、２３  約表示部、２４  種類表示部、２５  モード表示部、２６  コロン表示部、２７  できあがり表示部、３０  制御部、３１  算出手段、３２  判定手段、３３  変更手段、３４  カウント手段、１００  加熱調理器。
【図１】
0006425592.tif 000002
【図２】
0006425592.tif 000003
【図３】
0006425592.tif 000004
【図４】
0006425592.tif 000005
【図５】
0006425592.tif 000006
【図６】
0006425592.tif 000007
【図７】
0006425592.tif 000008
【図８】
0006425592.tif 000009
【図９】
0006425592.tif 000010
【図１０】
0006425592.tif 000011
【図１１】
0006425592.tif 000012